【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
始端の項目から終端の項目まで順番に並ぶ項目列のうち、一部の項目群を表示画面に一列に表示するように制御する表示制御手段と、
前記表示画面に表示された項目へのタッチ操作を検出する検出手段と、
前記表示画面に表示された選択可能な前記一部の項目群の端に位置している、前記始端の項目でも前記終端の項目でもない項目へのタッチ及び該タッチを離す一連の操作が検出されたことに応じて、前記一連の操作がされた項目を表示したまま、前記項目列のうち、前記一連の操作がされた項目の側の前記表示画面に表示されていない項目を表示するように、前記項目列のうち前記一連の操作がされた項目を含む項目群を移動し、
前記表示画面に表示された選択可能な前記一部の項目群の端に位置している、前記始端の項目または前記終端の項目への前記一連の操作が検出されたことに応じては、前記一部の項目群を移動しないように制御する制御手段とを有することを特徴とする表示制御装置。
【請求項２】
前記制御手段は、前記検出手段が前記表示画面に表示された選択可能な前記一部の項目群のいずれかに対するタッチを検出すると、タッチされた項目を選択状態で表示するとともに、前記タッチされた項目に割り当てられた機能を実行するように制御することを特徴とする請求項１に記載の表示制御装置。
【請求項３】
前記制御手段は、前記表示画面に表示された前記一部の項目群における端に位置しない選択状態の項目からのタッチを離す操作に応じては、前記項目群を移動しないように制御することを特徴とする請求項１または２に記載の表示制御装置。
【請求項４】
前記制御手段は、前記表示画面に表示された選択可能な前記一部の項目群の端に位置している、前記始端の項目でも前記終端の項目でもない項目への前記タッチが検出されたことに応じては、前記項目群を移動しないように制御することを特徴とする請求項１乃至３の何れか１項に記載の表示制御装置。
【請求項５】
前記表示制御手段は、前記項目列とは異なる第二の項目列の一部の項目である第二の項目群を前記表示画面に表示するように制御し、
前記制御手段は、前記表示画面に表示された前記第二の項目群のうち、選択されていない項目に対するタッチを検出すると、タッチされた項目の機能を実行することなく該タッチされた項目を選択し、
前記第二の項目群のうち、選択されている項目に対するタッチを検出すると、タッチされた項目に割り当てられた機能を実行するように制御し、
前記第二の項目群の端に位置し、前記第二の項目列の端の項目ではない選択されている項目へのタッチ及び該タッチを離す一連の操作が検出されたことに応じては、前記第二の項目群を移動しないように制御することを特徴とする請求項１乃至４の何れか１項に記載の表示制御装置。
【請求項６】
前記表示制御手段は、前記第二の項目列のうち、前記表示画面に表示されている前記第二の項目群が前記第二の項目列のうちのどの位置の項目群であるかを示すスクロールバーを前記表示画面に表示するように制御することを特徴とする請求項５に記載の表示制御装置。
【請求項７】
前記表示画面に表示された項目群のいずれかに対するタッチとは異なる操作を受け付ける操作手段を更に有し、
前記制御手段は、前記項目列のうち前記表示画面に表示された選択可能な前記一部の項目群の中で、前記一部の項目群の端に位置している、前記始端の項目でも前記終端の項目でもない項目へ選択される項目を切り替える操作を前記操作手段で受け付けたことに応じて、該操作に応じて選択される項目を選択状態で表示し、該選択される項目を含む項目群を移動するように制御することを特徴とする請求項１乃至６の何れか１項に記載の表示制御装置。
【請求項８】
前記項目列のうち、前記表示画面に表示される項目を移動させるスクロール操作を受け付けるスクロール操作手段を更に有することを特徴とする請求項１乃至７の何れか１項に記載の表示制御装置。
【請求項９】
前記表示制御装置は、撮像手段を有する撮像装置であることを特徴とする請求項１乃至８のいずれか１項に記載の表示制御装置。
【請求項１０】
前記表示制御手段は、前記一部の項目群とともに前記撮像手段で撮像されたスルー画像を表示し、前記項目列のうち、前記表示画面に表示されている前記項目群が前記項目列のうちのどの位置の項目群であるかを示すスクロールバーは表示しないことを特徴とする請求項９に記載の表示制御装置。
【請求項１１】
前記項目群が移動することに応じて、前記項目群のうち、前記一連の操作がされた項目の側とは反対の端の項目が非表示になることを特徴とする請求項１乃至１０のいずれか１項に記載の表示制御装置。
【請求項１２】
前記制御手段は、前記表示画面に表示された選択可能な前記一部の項目群のうち、タッチ操作がされた項目に関する複数の項目を前記表示画面に表示するように制御する請求項１乃至１１のいずれか１項に記載の表示制御装置。
【請求項１３】
前記一部の項目群に対するタッチがあり、該タッチの位置が移動された後に、該タッチが離されたことを検出したことに応じて、該タッチが離れる直前のタッチ位置の項目を選択状態で表示するとともに、該タッチが離れる直前において、該タッチ位置の項目が前記表示画面に表示された選択可能な前記一部の項目群の端に位置している、前記始端の項目でも前記終端の項目でもない項目である場合に、該タッチ位置の項目を含む項目群を移動するように制御することを特徴とする請求項１乃至１２の何れか１項に記載の表示制御装置。
【請求項１４】
前記制御手段は、前記表示画面に表示された選択可能な前記一部の項目群の端に位置している、前記始端の項目でも前記終端の項目でもない項目からのタッチを離す操作が検出されたことに応じて前記項目群を移動するように制御することを特徴とする請求項１乃至１２のいずれか１項に記載の表示制御装置。
【請求項１５】
前記制御手段は、タッチされた項目が移動することなく、前記一連の操作が検出されたことに応じて、前記項目群を移動するように制御することを特徴とする請求項１乃至１２のいずれか１項に記載の表示制御装置。
【請求項１６】
前記制御手段は、前記表示画面に表示された選択可能な前記一部の項目群のいずれかに対するタッチを検出すると、タッチされた項目を選択状態で表示し、該タッチされた位置を移動したことに応じて、前記選択状態を解除するように制御することを特徴とする請求項１乃至１５のいずれか１項に記載の表示制御装置。
【請求項１７】
前記制御手段は、選択されていない状態である、前記一部の項目群の端に位置している、前記始端の項目でも前記終端の項目でもない項目へタッチを離す操作が検出されたことに応じて、前記項目群が移動するとともに、前記一連の操作がされた項目を選択状態で表示するように制御することを特徴とする請求項１乃至１５のいずれか１項に記載の表示制御装置。
【請求項１８】
前記制御手段は、前記表示画面に表示された選択可能な前記一部の項目群の端に位置している、前記始端の項目でも前記終端の項目でもない項目へのタッチが検出されたことに応じて、該タッチがされた項目を選択状態で表示し、該タッチを離す操作が検出されたことに応じて、前記項目群を移動するように制御することを特徴とする請求項１乃至１５のいずれか１項に記載の表示制御装置。
【請求項１９】
前記制御手段は、前記一連の操作が検出されたことに応じた前記移動では、前記項目群を１項目分移動するように制御する請求項１乃至１８のいずれか１項に記載の表示制御装置。
【請求項２０】
前記一連の操作がされた項目の側の前記表示画面に表示されていない項目の縁は、前記移動後に、前記項目群が表示される領域の縁と合うことを特徴とする請求項１乃至１９のいずれか１項に記載の表示制御装置。
【請求項２１】
前記項目群に含まれる項目の数は、前記項目群の移動前と後で変わらないことを特徴とする請求項１乃至２０のいずれか１項に記載の表示制御装置。
【請求項２２】
前記始端の項目と前記終端の項目は、前記項目群を表示する領域のうち中央の領域には表示されないことを特徴とする請求項１乃至２１のいずれか１項に記載の表示制御装置。
【請求項２３】
前記一連の操作がされる項目は、前記表示画面に項目全体が表示された項目であることを特徴とする請求項１乃至２２のいずれか１項に記載の表示制御装置。
【請求項２４】
前記制御手段は、前記移動に応じて、前記一連の操作がされた項目の隣りの項目の項目全体を前記表示画面に表示するように制御することを特徴とする請求項１乃至２３のいずれか１項に記載の表示制御装置。
【請求項２５】
前記項目列に含まれる項目は、同じ階層の項目であることを特徴とする請求項１乃至２４のいずれか１項に記載の表示制御装置。
【請求項２６】
前記制御手段は、前記項目群のうち、中央にある項目でも、前記表示画面に表示された選択可能な前記一部の項目群の端に位置している、前記始端の項目でも前記終端の項目でもない項目へのタッチ及び該タッチを離す操作が検出されたことに応じて、前記項目群を移動しないように制御することを特徴とする請求項１または２に記載の表示制御装置。
【請求項２７】
始端の項目から終端の項目まで順番に並ぶ項目列のうち、一部の項目群を表示画面に一列に表示するように制御する表示制御ステップと、
前記表示画面に表示された項目へのタッチ操作を検出する検出ステップと、
前記表示画面に表示された選択可能な前記一部の項目群の端に位置している、前記始端の項目でも前記終端の項目でもない項目へのタッチ及び該タッチを離す一連の操作が検出されたことに応じて、前記一連の操作がされた項目を表示したまま、前記項目列のうち、前記一連の操作がされた項目の側の前記表示画面に表示されていない項目を表示するように、前記項目列のうち前記一連の操作がされた項目を含む項目群を移動し、
前記表示画面に表示された選択可能な前記一部の項目群の端に位置している、前記始端の項目または前記終端の項目への前記一連の操作が検出されたことに応じては、前記一部の項目群を移動しないように制御する制御ステップとを有することを特徴とする表示制御装置の制御方法。
【請求項２８】
コンピュータを、請求項１乃至２６のいずれか１項に記載された表示制御装置の各手段として機能させるためのプログラム。
【請求項２９】
コンピュータを、請求項１乃至２６のいずれか１項に記載された表示制御装置の各手段として機能させるためのプログラムを格納したコンピュータが読み取り可能な記憶媒体。